(57)【特許請求の範囲】
【請求項１】
電力線路において検出した部分放電信号を外部ノイズによって制御されて通過および阻止の状態を取るノイズゲート回路に通すことにより前記外部ノイズを除去する電力線路の部分放電信号中の外部ノイズの除去方法において、
前記電力線路の絶縁接続部、終端接続部等の接続部に前記電力線路の部分放電を検出して前記部分放電信号を出力する信号検出電極を設け、
前記接続部から所定の距離の位置の前記電力線路に前記外部ノイズを検出するノイズ検出電極を設け、
前記部分放電を模擬した校正パルス信号を校正パルス発信器から前記電力線路の前記接続部に注入し、
前記電力線路を伝播してきた前記校正パルス信号を前記ノイズ検出電極で検出し、
前記ノイズ検出電極で前記校正パルス信号を検出したときに前記ノイズゲート回路が前記校正パルス信号を通過させるような位置となるように前記接続部と前記ノイズ検出電極との間の距離を設定することを特徴とする電力線路の部分放電信号中の外部ノイズの除去方法。
【請求項２】
前記校正パルス発信器から前記接続部に注入された１０〜１００００ｐＣの校正パルス信号を前記ノイズ検出電極で検出したときに前記ノイズゲート回路が前記校正パルス信号を通過させるような位置となるように前記接続部と前記ノイズ検出電極との間の距離を設定する請求項１に記載の電力線路の部分放電信号中の外部ノイズの除去方法。
【請求項３】
前記信号検出電極を前記絶縁接続部の一対の縁切りシースに静電結合した一対の箔電極によって形成し、
前記ノイズ検出電極を前記電力線路のシースに静電結合した箔電極によって形成した請求項１に記載の電力線路の部分放電信号中の外部ノイズの除去方法。
【請求項４】
前記ノイズ検出電極を前記絶縁接続部の両側に設ける請求項１に記載の電力線路の部分放電信号中の外部ノイズの除去方法。
【請求項５】
前記ノイズ検出電極を形成する前記箔電極を前記電力線路を構成する各相の電力ケーブルに共通に一括して設けた請求項３に記載の電力線路の部分放電信号中の外部ノイズの除去方法。
【発明の詳細な説明】
【０００１】
【発明の属する技術分野】
本発明は、電力線路において検出した部分放電信号を外部ノイズによって制御されて通過および阻止の状態を取るゲート回路に通すことにより外部ノイズを除去する電力線路の部分放電信号中の外部ノイズの除去方法に関するものである。
【０００２】
【従来の技術】
長距離電力線路の絶縁接続部や終端接続部等における部分放電測定を行うことにより、例えば、絶縁体中のボイド、空隙等の部分的欠陥部を検出することができる。この部分放電測定を行う際は、外部ノイズ対策を十分に施しておく必要がある。この外部ノイズ対策としては、例えば、外部ノイズを取込んで除去するノイズゲ−ト法がある。
【０００３】
図４は、従来の電力線路の部分放電信号中の外部ノイズの除去方法を実現する回路を示す図である。
ケーブル線路１の接続位置には絶縁接続部（ＩＪＢ）２が設けられ、その絶縁部には部分放電パルス信号を検出するための複数の金属箔電極３が貼着されている。この金属箔電極３には検出信号用増幅器４が接続され、この検出信号用増幅器４にはノイズゲート回路５が接続されている。
【０００４】
また、ケーブル線路１の近傍には外部ノイズパルス信号を検出するためのアンテナ６が配設され、このアンテナ６にはノイズ用増幅器７が接続されている。そして、このノイズ用増幅器７はノイズゲート回路５に接続されている。
【０００５】
このような構成において、電力線路の部分放電信号中の外部ノイズの除去方法の動作例を説明する。
金属箔電極３で検出した部分放電パルス信号は、検出信号用増幅器４に入力され、同調増幅されて検波された後、ノイズゲート回路５に入力される。一方、アンテナ６で取込んだ外部ノイズパルス信号は、ノイズ用増幅器７に入力され、同調増幅されて検波された後、ノイズゲート回路５のゲート制御パルス入力部に加えられる。
【０００６】
この外部ノイズパルス信号はＩＪＢ２にも誘導されており、外部ノイズパルス信号が受信された瞬間だけノイズゲート回路５が閉じて部分放電パルス信号の通過が阻止されるので、部分放電パルス信号に混入した外部ノイズパルス信号が除去されることになる。
【０００７】
【発明が解決しようとする課題】
しかし、上述した従来の電力線路の部分放電信号中の外部ノイズの除去方法を実現する回路では、以下の問題がある。
この回路は、アンテナ６の位置がＩＪＢ２に近い程、アンテナ６で検出される外部ノイズパルス信号とＩＪＢ２で検出される外部ノイズパルス信号が一致してくるので、効果的に動作することになる。
【０００８】
ところが、アンテナ６の位置がＩＪＢ２に余り近過ぎると、ＩＪＢ２から部分放電が生じた際、その部分放電パルス信号がノイズゲート回路５に誘導され、ノイズゲート回路５が動作してＩＪＢ２からの部分放電パルス信号まで除去してしまう場合がある。
【０００９】
従って、本発明の目的は、接続部から部分放電が生じても、ノイズゲート回路の動作に悪影響を与えない外部ノイズを取込んで除去することができる電力線路の部分放電信号中の外部ノイズの除去方法を提供することにある。
【００１０】
【課題を解決するための手段】
本発明は、上記目的を実現するため、電力線路において検出した部分放電信号を外部ノイズによって制御されて通過および阻止の状態を取るノイズゲート回路に通すことにより前記外部ノイズを除去する電力線路の部分放電信号中の外部ノイズの除去方法において、前記電力線路の絶縁接続部、終端接続部等の接続部に前記電力線路の部分放電を検出して前記部分放電信号を出力する信号検出電極を設け、前記接続部から所定の距離の位置の前記電力線路に前記外部ノイズを検出するノイズ検出電極を設け、前記部分放電を模擬した校正パルス信号を校正パルス発信器から前記電力線路の前記接続部に注入し、前記電力線路を伝播してきた前記校正パルス信号を前記ノイズ検出電極で検出し、前記ノイズ検出電極で前記校正パルス信号を検出したときに前記ノイズゲート回路が前記校正パルス信号を通過させるような位置となるように前記接続部と前記ノイズ検出電極との間の距離を設定することを特徴とする電力線路の部分放電信号中の外部ノイズの除去方法を提供する。
【００１１】
上記構成によれば、接続部に誘導される外部ノイズは、一般に、電力線路から離れた位置で生じて電力線路を伝播してくることが多いため、接続部から所定距離離れた電力線路の近傍位置で外部ノイズパルス信号を取込むことにより、接続部から部分放電が生じても、ノイズゲート回路の動作に悪影響を与えない外部ノイズを取込んで除去することができる。
【００１２】
【発明の実施の形態】
図１は、本発明の電力線路の部分放電信号中の外部ノイズの除去方法の実施形態を実現する回路を示す図である。
ケーブル線路１１の接続位置には絶縁接続部（ＩＪＢ）１２が設けられ、その絶縁部の両側には部分放電パルス信号を検出するための複数の金属箔電極１３ａおよび校正パルス注入用箔電極１３ｂが貼着されている。金属箔電極１３ａには検出信号用増幅器１４が接続され、この検出信号用増幅器１４にはノイズゲート回路１５が接続されている。
【００１３】
また、ＩＪＢ１２から所定距離離れたケーブル線路１１の近傍には外部ノイズパルス信号を取込むための外部ノイズ取込用電極１６が配設され、この外部ノイズ取込用電極１６にはノイズ用増幅器１７が接続されている。そして、このノイズ用増幅器１７はノイズゲート回路１５に接続されている。
また、校正パルス注入用箔電極１３ｂにはＩＪＢ１２に対し校正用のパルス信号を注入するための校正パルス発振器１８が接続されている。
【００１４】
このような構成において、電力線路の部分放電信号中の外部ノイズの除去方法の動作例を説明する。
金属箔電極１３ａで検出した部分放電パルス信号は、検出信号用増幅器１４に入力され、同調増幅されて検波された後、ノイズゲート回路１５に入力される。一方、外部ノイズ取込用電極１６と接地間で外部ノイズパルス信号が取込まれる。そして、この外部ノイズパルス信号は、ノイズ用増幅器１７に入力され、同調増幅されて検波された後、ノイズゲート回路１５のゲート制御パルス入力部に加えられる。
【００１５】
ここで、一般に外部ノイズ源１９からの外部ノイズパルス信号は、ケーブル線路１１に誘導され、ケーブル線路１１と接地間コモンモードで伝播してＩＪＢ１２で検出される。ＩＪＢ１２からの部分放電を模擬した校正パルス信号が、校正パルス発振器１８からＩＪＢ１２に入力されると、その校正パルス信号（部分放電パルス信号）は、検出信号用増幅器１４とノイズゲート回路１５を通過して出力される。
【００１６】
この校正パルス信号（部分放電パルス信号）は、ある限度以上に大きくなると、ケーブル線路１１を伝播して外部ノイズ取込用電極１６で検出される。そして、その検出信号はノイズゲート制御信号となり、ノイズゲート回路１５により上記校正パルス信号（部分放電パルス信号）の通過が阻止され、あたかもパルスが無い（部分放電が生じていない）かのような誤動作をしてしまう。
【００１７】
そこで、ノイズゲート回路１５の動作が、例えば、５００ｐＣの部分放電パルス信号迄は十分に効果的に動作し、それより大きな部分放電パルス信号については十分な動作をしないようにするには、外部ノイズ取込用電極１６を設ける所定の距離を、外部ノイズ取込用電極１６がＩＪＢ１２において発生した部分放電信号、即ちＩＪＢ１２に注入された５００ｐＣの校正パルスを検出したとき、ノイズゲート回路１５に通過の状態を取らせる最大の距離に設定するようにすれば良いことになる。
【００１８】
ただし、この校正パルス信号の大きさを大きくすればする程、ノイズゲート回路１５の制御信号レベルを低下させる必要があり、小さい外部ノイズパルス信号は除去できないことになる。そこで、外部ノイズパルス信号はＩＪＢ１２に誘導していると同じような波形で高レベルで検出されることが望ましい。さらに、外部ノイズ取込用電極１６の位置は、所要最大放電電荷量に応じて決定されることが望ましく、例えば、ＩＪＢ１２から２０ｍ程度離れた位置が最適である。
【００１９】
このような部分放電測定における外部ノイズ取込方法によれば、外部ノイズを効果的に除去することができ、部分放電パルス信号の検出感度を向上させることができる。また、校正パルス発振器１８を用いてノイズゲート回路１５の動作をチェックしているので、ノイズゲート回路１５を確実に動作させることができる。
【００２０】
図２は、本発明の電力線路の部分放電信号中の外部ノイズの除去方法の実施形態を実現する別の回路を図１に対応させて示す図であり、同一構成箇所は同一番号を付して説明を省略する。  この回路は、ＩＪＢ１２の両側に外部ノイズ取込用電極１６とノイズ用増幅器１７が配設されている。ＩＪＢ１２への外部ノイズパルス信号の誘導がケーブル線路１１の両側から起きる場合があるので、その場合には両側の外部ノイズ取込用電極１６から外部ノイズパルス信号を取込み、２つの外部ノイズパルス信号でノイズゲート回路１５を動作させると、より効果的な外部ノイズ除去が可能になる。
【００２１】
図３は、本発明の電力線路の部分放電信号中の外部ノイズの除去方法の実施形態を実現する更に別の回路を図１に対応させて示す図であり、同一構成箇所は同一番号を付して説明を省略する。
この回路は、３条のケーブル線路１１に適用させた例であり、３条のケーブル線路１１が俵積み、三角配置、水平配置等により接近しているＩＪＢ１２の両側に外部ノイズ取込用電極１６とノイズ用増幅器１７が配設されている。両側の外部ノイズ取込用電極１６から外部ノイズパルス信号を一括して取込み、２つの外部ノイズパルス信号でノイズゲート回路１５を動作させると、より効果的な外部ノイズ除去が可能になる。
【００２２】
なお、前記実施例では、ノイズゲート回路の動作範囲を５００ｐＣの部分放電パルス信号（校正パルス信号）までとしたが、この動作範囲は検出の目的或いは検出個所における条件により適宜決定される。例えば、部分放電パルス信号をより高感度で検出した場合には、上記動作範囲を１０ｐＣの部分放電パルス信号（校正パルス信号）程度まで低くして、外部ノイズパルス信号の除去効果を高めたり、一方、外部ノイズパルス信号が強力で部分放電パルス信号のゲート通過が困難な場合には、逆に上記動作範囲を１００００ｐＣの部分放電パルス信号（校正パルス信号）程度まで高くして、ノイズゲート回路の制御信号レベルを低下させ、外部ノイズパルス信号の除去効果を弱めたりする。
【００２３】
【発明の効果】
以上述べたように、本発明によれば、外部ノイズを効果的に除去することができ、部分放電パルス信号の検出感度を向上させることができる。
【図面の簡単な説明】
【図１】本発明の電力線路の部分放電信号中の外部ノイズの除去方法の実施形態を実現する回路を示す図である。
【図２】本発明の電力線路の部分放電信号中の外部ノイズの除去方法の実施形態を実現する別の回路を図１に対応させて示す図である。
【図３】本発明の電力線路の部分放電信号中の外部ノイズの除去方法の実施形態を実現する更に別の回路を図１に対応させて示す図である。
【図４】従来の電力線路の部分放電信号中の外部ノイズの除去方法を実現する回路を示す図である。
【符号の説明】
１  ケーブル線路
２  絶縁接続部（ＩＪＢ）
３  金属箔電極
４  検出信号用増幅器
５  ノイズゲート回路
６  アンテナ
７  ノイズ用増幅器
１１  ケーブル線路
１２  絶縁接続部（ＩＪＢ）
１３ａ  金属箔電極
１３ｂ  校正パルス注入用箔電極
１４  検出信号用増幅器
１５  ノイズゲート回路
１６  外部ノイズ取込用電極
１７  ノイズ用増幅器
１８  校正パルス発振器
１９  外部ノイズ源
【図１】
0004160707.tif 000002
【図２】
0004160707.tif 000003
【図３】
0004160707.tif 000004
【図４】
0004160707.tif 000005